(57)【要約】【課題】置畳を設置する場合に畳の厚みから発生する段差が障害となり、安全面や外観上の問題となっている。その為、主に木製の囲み枠が使用されるが、設置が容易でない、重量が適当でない、また価格も高価であるといった短所が目立った。【解決手段】置畳の製造工程において傾斜材を周辺部の任意の１辺から４辺に内蔵しておくことで使用者は特に意識することなく畳と床面との段差を軽減し、より安全に置畳を設置することが出来る。【選択図】図１
2007023745.tif 000002
【特許請求の範囲】
【請求項１】
傾斜形状に成型した木製あるいは樹脂製による、ある程度の表面強度を持った枠部材を畳の製造段階で畳の任意の１辺から４辺に内蔵することで、端部に１辺から４辺の傾斜形状を有する、厚さ８ミリから１００ミリの畳
【請求項２】
畳床に木質インシュレーションボードあるいは、ポリスチレンフォーム等の樹脂材料または、圧縮ウレタン等を単独あるいは組み合せて使用し、任意の１辺から４辺の端部を傾斜形状に切断した畳床に畳表を張り付けて畳に仕上げた任意の１辺から４辺に傾斜形状を有する、厚さ８ミリから１００ミリの畳
【請求項３】
畳の２辺もしくは４辺に畳縁を有するか、あるいは畳の周囲に畳縁を有しない半畳もしくは１畳の大きさに仕上げた畳で、複数枚組合せ使用した時に全体の外周部分が連続した傾斜形状になるよう、それぞれの位置により傾斜部分の位置を変え特定の１辺か２辺に傾斜形状を有する請求項１か請求項２のいずれかの畳
【請求項４】
裏面の不織布を雌型の面ファスナーとみなして、適当な長さに切断した雄型の面ファスナーを使用して２枚の畳にまたがらせて固着させ、並びあった畳同志が広がったりずれたりすることを防止する対策を講じた請求項３の畳
【発明の詳細な説明】
【技術分野】
【０００１】本発明は、畳や置畳の端部に傾斜をつけて、囲み枠を不要にする方法に関する。
【背景技術】
【０００２】洋間の一部に手軽に和風の雰囲気を作りたい場合、置くだけの畳、いわゆる置畳が使用される場合が多い。主に置畳を敷く場合、既存のフローリング等の上に置く為、畳の厚みがそのまま段差となり室内の歩行の障害となったり、美観を損なうなど弊害が生ずる。そこで置畳を使用する場合はスベリ防止と段差解消のために木枠が使用されることが多い。木枠は畳を並べた部分の外周に沿って傾斜状に加工した木材等を固定することで畳のズレや畳の厚みを解消する為に有効であった。
【発明の開示】
【発明が解決しようとする課題】
【０００３】しかしながら、木製の囲い枠を使用する場合は、枠自体に相当な重量があるために設置に労力を要したり、形状が固定化されるため、雰囲気を変えたいときでも容易に移動ができない。また、枠の継目の部分に指や皮膚の一部をはさんで怪我をする場合があった。
【課題を解決する為の手段】
【０００４】通常置畳を使用する上でもっとも難点だったのは、畳の厚みが部屋の中の動線に障害となることであり、その克服の為、主に木製の囲み枠を使用することが多かったが、反面、寸法の融通が利かない、高価である、設置に労力を要する等の欠点があった。本発明は畳自体の端部を傾斜形状とすることで、枠の存在を意識させずに枠を設置した場合と同様の安心感を使用者に与えるものである。
【発明の効果】
【０００５】本発明により欠点の多かった木製の囲み枠を使うことなく、置畳と床面との段差を解消し、つまづきなどによる人的被害の軽減に役立つ。片付ける場合も畳本体のみを収納するだけでよく、大きな枠をその都度分解したり、組立てる必要がない。
【０００６】本発明による置畳は、囲み枠が不要な為いかなる寸法にも対応でき、敷き方の形状も問わない、より自由な使用が出来る。また、本発明に使用する傾斜材は外見からは不可視となる為、傾斜材自体に塗装その他の仕上げを施す必要がない。さらに、従来からの畳の製法を踏襲しているので特段の新規設備を必要としない。このようなことから製造コストを抑えることが出来る。
【発明を実施するための最良の形態】
【０００７】図１図２の断面形状に示すように通常使用するインシュレーションボードやその他の様々な素材の畳床の切り口部分に、木製あるいは樹脂製その他ある程度の表面強度のある素材で成型した傾斜材を貼り付けておくか、あるいは畳床の端部を傾斜状に面取り加工したものを使用し、それらを一体的に天然イグサもしくは和紙、繊維等の素材による表面材を使い巻き込み、縫着あるいは接着により畳に仕上げる。本発明でいう置畳は形状を表すものであり、必ずしも天然イグサを使用した畳に限定するものではない。また、傾斜部の角度、奥行きも本体置畳の製品の厚みに依存する。【０００８】傾斜形状を施す辺は畳の任意の１辺だけの場合から４辺すべての場合まで様々である。なぜなら、通常置畳を敷く場合は部屋の広さ、形状、その他使用者の希望により使用する枚数は不定である。そのため敷き込み後の全体の形状によりその周辺部に位置する置畳の枚数や構成も変わるからである。【０００９】また、製品裏面に貼付したスベリ防止シートは不織布を使用しており、面ファスナーの雌型面と同様の表面形状となっている。その為、約２０センチメートルに切断した面ファスナーの雄型面を置畳２枚にまたがり、裏面の不織布に貼り付けることで畳相互のズレ防止と全体の誤移動防止を兼ねることが出来る。
【実施例】
【００１０】通常置畳はその意匠により２辺か４辺に畳縁を縫着しているか、または縁を使用せず畳表を端部で折り返して縫着仕上げしているが、本発明においてはそのすべての形式に対応することが出来る。添付の図面が実施例そのものであるが、縁を縫着する辺の数と傾斜形状を組み込む辺の数の組合せが多数となる為、図面では一部のみの例示としてある。発明の実施においてはそれらの数量と組合せにより作成不可能となる組合せは一切ない。
【図面の簡単な説明】
【００１０】
【図１】畳の断面形状である。畳床５に傾斜部材６をあらかじめ貼り付けてあり、それを一体的に畳表４で巻き込んである。畳の裏面にはスベリ防止用の不織布製シート８を貼り付けることでズレを防止できる。縁無し畳の場合は４辺すべてがこの形状となる。
【図２】図１と同様であるが、傾斜部を縁７にて縫着する場合の断面形状である。縁無し畳以外の畳は畳表の巾方向に縁を縫着することで通常仕上るので、畳の４辺の内２辺については縁を縫着することになる。畳床５に傾斜部材６を貼り付け畳表４を仮張りした後、畳縁７で４、５、６を一体的に包み込み縫着する。いわゆる四方縁の場合は４辺すべてがこの形状となる。
【図３】傾斜形状を有する畳を上部より表した図である。畳床に畳表１を張り付け縁２で縫着した置畳であるが、破線３より外辺に向かい傾斜が付いている状態を示している。
【図４】図３と同様であるが、畳縁を４辺すべてに有する場合あるいは、４辺のいずれにも畳縁を有しない場合のいずれかを除き、置畳は組み合わせる枚数により同じサイズのものでも置かれる場所が変わってくる場合がある。その場合に縁２の縫着する辺を替えることで対応できる。図３と図４は共に、組み合わせた状態で角部に位置する畳の形状である。
【図５】図３図４と同様であるが、６枚以上の畳を組み合わせた場合の中辺部を構成する畳である。そのため傾斜部分は１辺のみである。
【図６】図５と同様であるが、図４の場合と同じく構成する位置により縁２の縫着位置が異なる為、傾斜する辺もそれに対応する。
【図７】応用例であるが、置畳を単体で１枚のみ使用する場合はこのように４辺縁付きおよび４辺傾斜部とすることも可能なことを示すものである。
【図８】図７と同様応用例であるが、いわゆる縁無し畳で１辺を傾斜部としたものである。同様に縁無し畳の２辺から４辺に傾斜部を組み込むことが出来る。
【符号の説明】
【００１１】１  完成した置畳であり、表面の畳表の部分である。
２  完成した置畳に使用している畳縁である。
３  傾斜の始まり位置を示す。
４  畳表の断面形状である。
５  畳床の断面形状である。
６  傾斜部材の断面形状である。
７  畳縁の断面形状である。
８  不織布製スベリ防止シートの断面形状である。
【図１】
2007023745.tif 000003
【図２】
2007023745.tif 000004
【図３】
2007023745.tif 000005
【図４】
2007023745.tif 000006
【図５】
2007023745.tif 000007
【図６】
2007023745.tif 000008
【図７】
2007023745.tif 000009
【図８】
2007023745.tif 000010